(57)【要約】【課題】電線を結線する際の作業性を向上させ、結線を容易に行うこと。【解決手段】コネクタ１００は、電線３０と外部電極４１とを接続するものであり、電線３０を所定の電線挿入方向Ｄに挿入して装着する電線装着部１１と、電線装着部１１の一部を覆う位置に配置される端子支持部１２とを有する基体１０と、電線３０に接触可能な第１接触脚部２１と、外部電極４１に接触可能な第２接触脚部２２と、第１接触脚部２１と第２接触脚部２２とを折り返して接続し端子支持部１２に支持され湾曲された接続部２３とを有し、第１接触脚部２１、第２接触脚部２２及び接続部２３が弾性変形可能であり、端子支持部１２に支持されながら揺動可能に配置される端子２０と、を備え、端子２０は、電線装着部１１に電線３０を挿入することにより第１接触脚部２１が電線３０に当接し、第２接触脚部２２の一部が基体１０の外側に突出する。【選択図】図１
2018010852.tif 000002
【特許請求の範囲】
【請求項１】
電線と外部電極とを接続するコネクタであって、
前記電線を所定の電線挿入方向に挿入して装着する電線装着部と、前記電線装着部の一部を覆う位置に配置される端子支持部とを有する基体と、
前記電線に接触可能な第１接触脚部と、前記外部電極に接触可能な第２接触脚部と、前記第１接触脚部と前記第２接触脚部とを折り返して接続し前記端子支持部に支持され湾曲された接続部とを有し、前記第１接触脚部、前記第２接触脚部及び前記接続部が弾性変形可能であり、前記端子支持部に支持されながら揺動可能に配置される端子と、
を備え、
前記端子は、前記電線装着部に前記電線を挿入することにより前記第１接触脚部が前記電線に当接し、前記第２接触脚部の一部が前記基体の外側に突出する
コネクタ。
【請求項２】
前記端子支持部は、前記電線挿入方向の手前側に曲面部を有し、
前記接続部は、前記端子支持部の前記曲面部に支持され、前記曲面部に沿って湾曲される請求項１に記載のコネクタ。
【請求項３】
前記端子は、前記電線装着部に前記電線の一部が挿入された第１状態においては前記第１接触脚部が前記電線に当接し、前記電線装着部に前記電線が装着された第２状態においては前記第１接触脚部が前記電線に当接した状態で前記第２接触脚部の一部が前記基体の外側に突出して前記外部電極に接触可能となり、かつ、前記第２状態で前記第２接触脚部が前記外部電極に接触する第３状態においては前記第２接触脚部が前記外部電極によって前記基体の内側に押圧され前記第１接触脚部、前記第２接触脚部及び前記接続部が弾性変形することで前記第１接触脚部が前記電線に付勢力を加える請求項１又は請求項２に記載のコネクタ。
【請求項４】
前記基体は、前記第２状態で前記第２接触脚部に当接して前記基体の外側に向けた前記端子の揺動を規制する揺動規制部を有し、
前記端子は、前記第２状態で前記第２接触脚部が前記揺動規制部に当接された状態において、前記第１接触脚部及び前記第２接触脚部が弾性変形することで前記第１接触脚部が前記電線に付勢力を加える請求項３に記載のコネクタ。
【請求項５】
前記端子は、前記第３状態において前記第２接触脚部の先端部が前記電線から前記電線挿入方向に離れた位置に配置される請求項３又は請求項４に記載のコネクタ。
【請求項６】
前記電線装着部は、前記電線の先端に当接して前記電線を位置決めする位置決め部を有する請求項１から請求項５のいずれか一項に記載のコネクタ。
【請求項７】
前記位置決め部は、前記第３状態において前記電線と前記第２接触脚部の先端部との間を遮る位置に配置される請求項６に記載のコネクタ。
【請求項８】
前記端子は、前記接続部から前記第１接触脚部の先端部までの寸法が前記接続部から前記第２接触脚部の先端部までの寸法よりも短い請求項１から請求項７のいずれか一項に記載のコネクタ。
【請求項９】
前記端子は、前記接続部と前記第２接触脚部の先端部との間に、前記基体の外側に突出する屈曲部を有する請求項１から請求項８のいずれか一項に記載のコネクタ。
【請求項１０】
前記端子は、前記第１接触脚部の先端部が前記電線側に折り曲げられている請求項１から請求項９のいずれか一項に記載のコネクタ。
【請求項１１】
前記端子は、前記第１接触脚部の先端部に、前記電線の形状に対応した形状の凹部を有する請求項１から請求項１０のいずれか一項に記載のコネクタ。
【請求項１２】
前記端子は、前記第１接触脚部に、前記電線挿入方向側に延び出す延出部を有する請求項１から請求項１１のいずれか一項に記載のコネクタ。
【請求項１３】
前記延出部は、前記第１接触脚部の両側に設けられる請求項１２に記載のコネクタ。
【請求項１４】
前記基体は、前記電線装着部に対して前記電線挿入方向の側方に平面部を有し、
前記電線装着部は、前記平面部に対して凹状に形成され、
前記端子は、前記第１接触脚部の先端部が前記電線装着部上に配置され、前記延出部が前記平面部上に配置される請求項１２又は請求項１３に記載のコネクタ。
【請求項１５】
前記延出部の先端は、前記平面部から離間している請求項１４に記載のコネクタ。
【請求項１６】
前記端子は、前記第２接触脚部の両側に突出した係合部を有し、
前記基体は、前記係合部と係合する係合突起部を有する請求項１から請求項１５のいずれか一項に記載のコネクタ。
【請求項１７】
前記基体は、前記電線装着部のうち前記電線挿入方向の手前側の端部を覆う位置に配置されるフランジ部を有する請求項１から請求項１６のいずれか一項に記載のコネクタ。
【発明の詳細な説明】
【技術分野】
【０００１】
本出願は、コネクタに関する。
【背景技術】
【０００２】
天井型エアコンのリモコン又は湯沸かし装置の操作パネル等、建物の壁部に取り付けられるタイプの操作端末が知られている。操作端末は端末内に制御基板を有する。制御基板は操作端末が取り付けられる壁の内部から引き出された電線とネジ止め等されることにより、電線の固定と電源や信号の電気的な接続がなされる。
【先行技術文献】
【特許文献】
【０００３】
【特許文献１】特開２００２−１７０６０５号公報
【発明の概要】
【発明が解決しようとする課題】
【０００４】
上記構成においては、電線を制御基板に結線する際には、一度壁から電線を引き出した後、制御基板に形成された接続部にドライバー等の工具を用いてネジ止めを行い、その後、引き出した電線を壁の内部に戻しつつ制御基板を操作端末に装着する。つまり、壁沿いの限られた場所で電線の結線作業や余長の取り回しが必要となるため作業が困難且つ煩雑であり、作業性の向上が求められている。
【０００５】
上記のことから、電線を結線する際の作業性を向上させるためにコネクタ化の要求があり、コネクタには容易に電線を結線（保持および導通）できることが求められている。
【課題を解決するための手段】
【０００６】
１つの態様に係るコネクタは、電線と外部電極とを接続するコネクタであって、前記電線を所定の電線挿入方向に挿入して装着する電線装着部と、前記電線装着部の一部を覆う位置に配置される端子支持部とを有する基体と、前記電線に接触可能な第１接触脚部と、前記外部電極に接触可能な第２接触脚部と、前記第１接触脚部と前記第２接触脚部とを折り返して接続し前記端子支持部に支持され湾曲された接続部とを有し、前記第１接触脚部、前記第２接触脚部及び前記接続部が弾性変形可能であり、前記端子支持部に支持されながら揺動可能に配置される端子と、を備え、前記端子は、前記電線装着部に前記電線を挿入することにより前記第１接触脚部が前記電線に当接し、前記第２接触脚部の一部が前記基体の外側に突出する。
【０００７】
前記端子支持部は、前記電線挿入方向の手前側に曲面部を有し、前記接続部は、前記端子支持部の前記曲面部に支持され、前記曲面部に沿って湾曲されてもよい。
【０００８】
前記端子は、前記電線装着部に前記電線の一部が挿入された第１状態においては前記第１接触脚部が前記電線に当接し、前記電線装着部に前記電線が装着された第２状態においては前記第１接触脚部が前記電線に当接した状態で前記第２接触脚部の一部が前記基体の外側に突出して前記外部電極に接触可能となり、かつ、前記第２状態で前記第２接触脚部が前記外部電極に接触する第３状態においては前記第２接触脚部が前記外部電極によって前記基体の内側に押圧され前記第１接触脚部、前記第２接触脚部及び前記接続部が弾性変形することで前記第１接触脚部が前記電線に付勢力を加えてもよい。
【０００９】
前記基体は、前記第２状態で前記第２接触脚部に当接して前記基体の外側に向けた前記端子の揺動を規制する揺動規制部を有し、前記端子は、前記第２状態で前記第２接触脚部が前記揺動規制部に当接された状態において、前記第１接触脚部及び前記第２接触脚部が弾性変形することで前記第１接触脚部が前記電線に付勢力を加えてもよい。
【００１０】
前記端子は、前記第３状態において前記第２接触脚部の先端部が前記電線から前記電線挿入方向に離れた位置に配置されてもよい。
【００１１】
前記電線装着部は、前記電線の先端に当接して前記電線を位置決めする位置決め部を有してもよい。
【００１２】
前記位置決め部は、前記第３状態において前記電線と前記第２接触脚部の先端部との間を遮る位置に配置されてもよい。
【００１３】
前記端子は、前記接続部から前記第１接触脚部の先端部までの寸法が前記接続部から前記第２接触脚部の先端部までの寸法よりも短くてもよい。
【００１４】
前記端子は、前記接続部と前記第２接触脚部の先端部との間に、前記基体の外側に突出する屈曲部を有してもよい。
【００１５】
前記端子は、前記第１接触脚部の先端部が前記電線側に折り曲げられていてもよい。
【００１６】
前記端子は、前記第１接触脚部の先端部に、前記電線の形状に対応した形状の凹部を有してもよい。
【００１７】
前記端子は、前記第１接触脚部に、前記電線挿入方向側に延び出す延出部を有してもよい。
【００１８】
前記延出部は、前記第１接触脚部の両側に設けられてもよい。
【００１９】
前記基体は、前記電線装着部に対して前記電線挿入方向の側方に平面部を有し、前記電線装着部は、前記平面部に対して凹状に形成され、前記端子は、前記第１接触脚部の先端部が前記電線装着部上に配置され、前記延出部が前記平面部上に配置されてもよい。
【００２０】
前記延出部の先端は、前記平面部から離間していてもよい。
【００２１】
前記端子は、前記第２接触脚部の両側に突出した係合部を有し、前記基体は、前記係合部と係合する係合突起部を有してもよい。
【００２２】
前記基体は、前記電線装着部のうち前記電線挿入方向の手前側の端部を覆う位置に配置されるフランジ部を有してもよい。
【発明の効果】
【００２３】
コネクタは、電線装着部に電線を挿入して装着することにより端子の第１接触脚部が電線に接触するため、容易に電線と端子との間を導通することができる。また、コネクタは、電線装着部に電線を装着した状態で外部電極を第２接触脚部に接触させることにより端子が全体的に弾性変形し、第１接触脚部が電線に当接して電線装着部側に付勢力を加えるため、容易に電線を基体に保持することができる。このため、壁から電線を引き出す作業や、電線を外部基板の接続部に工具を用いてネジ止めを行う作業や、引き出した電線を壁の内部に戻しつつ外部基板を装着する作業等を行うことなく、簡単な作業で電線を装着することができる。これにより、電線を結線する際の作業性を向上することができ、容易に電線を結線（保持および導通）することができる。
【図面の簡単な説明】
【００２４】
【図１】図１は、実施形態に係るコネクタの構成を示す分解斜視図である。
【図２】図２は、コネクタの斜視図である。
【図３】図３は、図２とは異なる角度から見たときのコネクタの斜視図である。
【図４】図４は、コネクタの断面図である。
【図５】図５は、端子の斜視図である。
【図６】図６は、端子の部分側面図である。
【図７】図７は、コネクタに電線を装着する様子を模式的に示す図である。
【図８】図８は、ケースに外部基板を装着する様子を模式的に示す図である。
【図９】図９は、電線と外部電極とを接続する作業の流れを示す図である。
【図１０】図１０は、コネクタから電線を抜去する作業の流れを示す図である。
【図１１】図１１は、変形例に係るコネクタの斜視図である。
【図１２】図１２は、図１１とは異なる角度から見たときのコネクタの斜視図である。
【図１３】図１３は、変形例に係るコネクタを示す断面斜視図である。
【図１４】図１４は、変形例に係る端子を示す図である。
【図１５】図１５は、変形例に係る端子を示す図である。
【図１６】図１６は、変形例に係る端子を示す図である。
【図１７】図１７は、変形例に係る端子を示す図である。
【図１８】図１８は、変形例に係る端子を示す図である。
【図１９】図１９は、他の実施形態に係るコネクタの斜視図である。
【図２０】図２０は、図１９とは異なる角度から見たときのコネクタの斜視図である。
【図２１】図２１は、コネクタの一部を示す斜視図である。
【図２２】図２２は、本実施形態に係る端子の斜視図である。
【図２３】図２３は、図２２とは異なる角度から見たときの端子の斜視図である。
【図２４】図２４は、コネクタを平面Ｉにより切断した場合の断面図である。
【図２５】図２５は、コネクタから電線を抜去する作業の流れを示す断面図である。
【図２６】図２６は、コネクタから電線を抜去する作業の流れを示す断面図である。
【発明を実施するための形態】
【００２５】
以下、本願に係るコネクタの実施形態を図面に基づいて説明する。
【００２６】
（実施形態）
図１は、実施形態に係るコネクタ１００の構成を示す分解斜視図である。図２は、コネクタ１００の斜視図である。図３は、図２とは異なる角度から見たときのコネクタ１００の斜視図である。図４は、コネクタ１００の断面図である。
【００２７】
図１から図４に示すように、コネクタ１００は、電線３０と外部基板４０の外部電極４１とを電気的に接続する。以下において、電線３０は、外部基板４０を外部電源に接続する配線を含む。電線３０は、先端に露出する導電部３１と、導電部３１を覆う被覆部３２とを有する。外部基板４０は、例えば、天井型エアコンのリモコン又は湯沸かし装置の操作パネル等、建物の壁部に取り付けられる操作端末に搭載される。操作端末は、建物の壁部に取り付けられるものに限定されない。操作端末が液晶パネル等の表示装置を有する場合、外部基板４０は、表示装置を制御する回路を含んでもよい。
【００２８】
コネクタ１００は、基体１０と、端子２０とを備える。基体１０は、矩形のブロック状に形成される。基体１０は、装着面１０ａが外部基板４０に装着される。装着面１０ａには、溝部１０ｂが形成される。溝部１０ｂは、基体１０の長辺方向に沿って平行に２本設けられる。溝部１０ｂは、基体１０の長手方向の一方の端面１０ｆから他方の端面１０ｅに至る途中までの範囲に設けられる。溝部１０ｂは、底部に設けられた平面部１０ｃ及び湾曲部１０ｈと、側面部１０ｄとを有する。湾曲部１０ｈは、平面部１０ｃに対して凹状に湾曲している。
【００２９】
基体１０は、電線装着部１１と、端子支持部１２と、治具挿入部１３と、揺動規制部１４と、ボス部１６とを有する。電線装着部１１は、各溝部１０ｂの湾曲部１０ｈに設けられる。電線装着部１１は、溝部１０ｂの長手方向に沿って直線状に延びた部分である。実施形態において、電線装着部１１は、基体１０の短辺方向に例えば２つ並んで配置される。
【００３０】
電線装着部１１は、支持部１１ａと、支持部１１ｂとを有する（図４参照）。支持部１１ａ及び１１ｂは、湾曲部１０ｈに設けられる。支持部１１ａは、電線３０の導電部３１を支持する。支持部１１ｂは、電線３０の被覆部３２を支持する。支持部１１ａ及び１１ｂは、導電部３１及び被覆部３２の外形に応じて、例えば円筒状に湾曲した形状であってもよい。この場合、支持部１１ａ及び支持部１１ｂは、電線３０の導電部３１及び被覆部３２の径に応じて、互いに異なる径とすることができる。例えば、導電部３１は、被覆部３２よりも径が小さい。このため、支持部１１ａの径は支持部１１ｂの径よりも小さくすることができる。電線装着部１１は、導電部３１が支持部１１ａに支持され、被覆部３２が支持部１１ｂに支持された状態で電線３０を装着可能である。電線装着部１１は、支持部１１ａと支持部１１ｂとが直線方向に連なった状態で配置される（図１及び図４参照）。電線装着部１１は、支持部１１ａと支持部１１ｂとが連なる直線方向に沿って、基体１０の端面１０ｆから端面１０ｅ側に向けて電線３０を挿入可能である。以下、電線３０が挿入される方向を電線挿入方向Ｄと表記する。
【００３１】
電線装着部１１は、位置決め部１５を有する。位置決め部１５は、導電部３１の先端３１ａに接して電線３０を位置決めする。位置決め部１５は、突出方向の端面１５ａを有する。端面１５ａは、溝部１０ｂの平面部１０ｃの一部である。
【００３２】
端子支持部１２は、電線装着部１１の一部を覆う位置に配置される。実施形態では、端子支持部１２は、支持部１１ａの一部を覆う位置に配置される。端子支持部１２は、電線装着部１１毎に設けられる。端子支持部１２は、端子２０を支持する。端子支持部１２は、各溝部１０ｂの対向する側面部１０ｄ同士の間に架けられる。端子支持部１２は、電線３０の導電部３１に対して間隔を空けて配置されるため、支持部１１ａに支持される導電部３１に干渉しない。
【００３３】
端子支持部１２は、曲面部１２ａ及び変形支持部１２ｂを有する。曲面部１２ａは、端子支持部１２のうち電線挿入方向Ｄの手前側に設けられる。曲面部１２ａは、電線挿入方向Ｄの手前側に突出した滑らかな曲面状に形成される。変形支持部１２ｂは、端子支持部１２の電線挿入方向Ｄの奥側端部のうち、電線装着部１１側に設けられる。変形支持部１２ｂは、例えば角部等のエッジ部（図４等参照）であってもよいし、エッジ部が面取りされた形状であってもよいし、曲面状であってもよい。
【００３４】
端子支持部１２は、曲面部１２ａに対して電線挿入方向Ｄの手前側に、傾斜突起部１２ｃと、側部支持部１２ｄとを有する（図１等参照）。傾斜突起部１２ｃは、溝部１０ｂの両側の側面部１０ｄから溝部１０ｂの内側に突出する。傾斜突起部１２ｃは、電線挿入方向Ｄの手前側から奥側にかけて突出量が徐々に大きくなるように設けられる。側部支持部１２ｄは、傾斜突起部１２ｃと曲面部１２ａとの間に配置される。側部支持部１２ｄは、溝部１０ｂの両側の側面部１０ｄから溝部１０ｂの内側に突出した部分であり、側面部１０ｄと平行な平面状に形成される。一方の側面部１０ｄに設けられた側部支持部１２ｄと、他方の側面部１０ｄに設けられた側部支持部１２ｄとは、対向して配置される。傾斜突起部１２ｃと側部支持部１２ｄとの間は、段部１２ｅが形成される。
【００３５】
治具挿入部１３は、基体１０の端面１０ｅに設けられる。治具挿入部１３は、端面１０ｅから溝部１０ｂまでの間を貫通する。治具挿入部１３は、電線３０を抜去するための治具５０を挿入可能な寸法に形成される。
【００３６】
揺動規制部１４は、端子２０の揺動を規制する。揺動規制部１４は、基体１０のうち上記の治具挿入部１３の内面１３ａを含む。内面１３ａは、例えば治具挿入部１３の内周面であって、溝部１０ｂの平面部１０ｃを治具挿入部１３側に延長した仮想面に対向して配置される面である。
【００３７】
ボス部１６は、装着面１０ａとは反対側の固定面１０ｇに配置される。ボス部１６は、コネクタ１００を取り付けるケースの開口部に嵌め込むことが可能である。コネクタ１００は、ボス部１６をケースの開口部に嵌め込むことにより、ケースに対して固定面１０ｇが接触した状態で固定される。
【００３８】
図５は、端子２０を示す斜視図である。端子２０は、金属等の導電性を有する材料を用いて板状に形成される。端子２０は、第１接触脚部２１と、第２接触脚部２２と、接続部２３とを有する。端子２０は、接続部２３において折り返された状態となっている。端子２０は、第１接触脚部２１、第２接触脚部２２及び接続部２３が一体となっている。端子２０は、接続部２３が端子支持部１２の曲面部１２ａと、傾斜突起部１２ｃ（又は段部１２ｅ）と、側部支持部１２ｄとで囲まれた部分に嵌め込まれた状態で配置され、かつ曲面部１２ａに掛けられた状態で支持される。端子２０は、第１接触脚部２１及び第２接触脚部２２を電線挿入方向Ｄの奥側に向けた状態で溝部１０ｂに沿って電線挿入方向Ｄの奥側に挿入されることで、接続部２３が傾斜突起部１２ｃの間を乗り越えて側部支持部１２ｄ側に嵌め込まれ、接続部２３の内側の面が曲面部１２ａに突き当たるようになっている。端子２０は、端子支持部１２に支持されながら揺動可能に設けられる。
【００３９】
第１接触脚部２１は、弾性変形可能である。第１接触脚部２１は、基部２１ａと、先端部２１ｂとを有する。基部２１ａは、平面状である。基部２１ａは、接続部２３から直線方向に延び出している。先端部２１ｂは、電線装着部１１側に折り曲げられている。先端部２１ｂは、基部２１ａに対して幅方向の寸法が小さくなっている。実施形態において、先端部２１ｂの幅方向は、電線挿入方向Ｄに直交し、かつ先端部２１ｂの表面に沿った方向である。基部２１ａと先端部２１ｂとの間には、段部（治具係止部）２１ｃが設けられる。段部２１ｃは、幅方向の両側にそれぞれ設けられる。段部２１ｃは、後述の治具５０が接触可能である。図６は、端子２０の部分側面図である。図６に示すように、先端部２１ｂは、エッジ部分２１ｅが電線３０の導電部３１に対向して配置される。第１接触脚部２１は、先端部２１ｂのエッジ部分２１ｅが電線３０の導電部３１に接触可能である。
【００４０】
第２接触脚部２２は、第１接触脚部２１との間で端子支持部１２を挟んだ状態で配置される（図４参照）。第２接触脚部２２は、弾性変形可能である。第２接触脚部２２は、基部２２ａと、先端部２２ｂとを有する。基部２２ａは、平面状である。基部２２ａは、接続部２３から直線方向に延び出している。基部２２ａは、屈曲部２２ｃを有する。基部２２ａは、屈曲部２２ｃにおいて第１接触脚部２１側に屈曲されている。屈曲部２２ｃは、先端部２２ｂに対して、第１接触脚部２１から離れる方向に突出している。先端部２２ｂは、第１接触脚部２１から離れる方向に屈曲されている。
【００４１】
第２接触脚部２２は、先端部２２ｂが内面１３ａに接触可能である。先端部２２ｂは、例えばエッジ部分が内面１３ａに接触する構成であってもよいし、内面１３ａに面接触する構成であってもよい。第２接触脚部２２の先端部２２ｂは、揺動規制部１４と、位置決め部１５との間を揺動可能に設けられる。先端部２２ｂが揺動規制部１４に接触する場合、基体１０の外側への先端部２２ｂの揺動が規制される。先端部２２ｂが位置決め部１５に接触する場合、基体１０内側への先端部２２ｂの揺動が規制される。
【００４２】
接続部２３は、第１接触脚部２１と第２接触脚部２２とを折り返すように接続する。接続部２３は、端子支持部１２の曲面部１２ａに掛けられた状態で支持される。接続部２３は、電線挿入方向Ｄの手前側が端子支持部１２の曲面部１２ａ沿って湾曲される。したがって、接続部２３は、電線挿入方向Ｄの手前側が滑らかな曲面状となっている。接続部２３は、幅方向の寸法が第１接触脚部２１及び第２接触脚部２２に比べて小さく、かつ傾斜突起部１２ｃ同士の間隔よりも大きく形成される。このため、端子２０は、端子支持部１２に装着しやすく、かつ、端子支持部１２に装着された状態から電線挿入方向Ｄの手前側に抜けにくくなる。
【００４３】
治具５０は、治具基部５１と、２本の脚部５２とを有する（図１参照）。各脚部５２は、例えばＬ字状に屈曲される。各脚部５２は、例えば支持部１１ａに支持される導電部３１のうち支持部１１ａから平面部１０ｃ上に突出する部分の幅（導電部３１が延びる方向に直交し、かつ溝部１０ｂの側面部１０ｄに直交する方向の寸法）よりも広い所定の間隔を空けて互いに平行に配置される。各脚部５２は、スロープ部５３と、先端部５４とを有する。各スロープ部５３は、先端部５４にかけて徐々に厚さが薄くなっている。各先端部５４は、第１接触脚部２１の段部２１ｃと、溝部１０ｂの平面部１０ｃとの間に挿入される。各先端部５４は、支持部１１ａに支持される導電部３１のうち支持部１１ａから平面部１０ｃ上に突出する部分の幅よりも広い間隔を空けて配置される。このため、各先端部５４は、導電部３１に干渉することなく段部２１ｃと平面部１０ｃとの間に挿入可能となる。
【００４４】
次に、上記の電線３０と外部電極４１とを接続する手順を説明する。図７は、コネクタ１００に電線３０を装着する様子を模式的に示す図である。図８は、ケースに外部基板４０を装着する様子を模式的に示す図である。実施形態では、図７及び図８に示すように、壁Ｗに固定されたケースＣにコネクタ１００を装着する場合を例に挙げて説明する。図７及び図８に示す例では、壁Ｗ及びケースＣには、電線３０を室内Ｒ側に引き出すための貫通孔Ｗａ及びＣａが形成される。電線３０は、貫通孔Ｗａ及びＣａを通って室内Ｒ側に引き出されている。ケースＣは、コネクタ１００のボス部１６に対応する位置に不図示の開口部が設けられている。
【００４５】
この場合、図７に示すように、作業者は、コネクタ１００のボス部１６をケースＣの開口部に嵌め込む。これにより、コネクタ１００がケースＣの所定位置に装着される。次に、作業者は、コネクタ１００に電線３０を装着させ、端子２０と電線３０とを接続する。次に、作業者は、図８に示すように、ケースＣに外部基板４０を装着させ、端子２０と外部電極４１とを接続する。
【００４６】
図９は、電線３０と外部電極４１とを接続する作業の流れを示す図である。電線３０をコネクタ１００に挿入すると、導通部３１が端子支持部１２（及び接続部２３）と支持部１１ａとの間に挿入される。実施形態では、端子支持部１２の電線挿入方向Ｄの手前側に曲面部１２ａが設けられ、接続部２３の電線挿入方向Ｄの手前側が滑らかな曲面状になっている。このため、導通部３１は、挿入性を阻害することなく良好に挿入できる。また、被覆部３２も支持部１１ｂに挿入される。次に、第１状態（図９のＳＴ０１）について説明する。電線３０をさらに挿入すると、導通部３１が端子２０の第１接触脚部２１または先端部２１ｂに当接する。すなわち、導通部３１は第１接触脚部２１と支持部１１ａにより挟持される形態となる。
【００４７】
第２状態（図９のＳＴ０２）について説明する。その後、作業者がさらに電線３０をコネクタ１００に挿入すると、導電部３１は第１接触脚部２１を押し上げながら電線装着部１１の奥側に挿入される。端子２０は、第１接触脚部２１の先端部２１ｂと第２接触脚部２２の先端部２２ｂとが接続部２３を略中心として、基体１０の外側に向けた方向、すなわち、図９の反時計回りの方向に連動して揺動（回動)する。以下、図９の反時計回りの方向を外側揺動方向と表記する。
【００４８】
一方では、端子２０の揺動により、第２接触脚部２２の先端部２２ｂは、揺動規制部１４に当接して外側揺動方向への揺動が規制される。第１接触脚部２１の押し上げと先端部２２ｂの揺動の規制により、第２接触脚部２２、接続部２３及び第１接触脚部２１が全体的に弾性変形して、先端部２１ｂから導通部３１に対して第１付勢力が加わる。さらに、第１接触脚部２１が端子支持部１２の角部１２ｂを支点として弾性変形するため、導電部３１には第２付勢力が加わる。
【００４９】
端子２０から導電部３１に加えられる第１付勢力及び第２付勢力により、電線３０はコネクタ１００に確実に保持されるとともに端子２０との間に電気的導通を得る。この際、第２接触脚部２２の屈曲部２２ｃは、基体１０の装着面１０ａから外側に突出し、外部電極４１に接触可能な位置に確実に配置される。第２接触脚部２２の先端部２２ｂは、第１付勢力の反力と第２付勢力の反力との合力により揺動規制部１４に当接（又は揺動規制部１４を付勢）した状態となり、外側揺動方向への揺動が規制される。すなわち、電線３０挿入後の第２接触脚部２２は、外側揺動方向に付勢力（第１付勢力の反力と第２付勢力の反力との合力）が加えられた状態で、屈曲部２２ｃが基体１０から所定寸法で突出する。電線３０の挿入は、導通部３１が位置決め部１５に当接することで完了となる。
【００５０】
このように電線３０が挿入された後、作業者は、外部基板４０に配置される各外部電極４１と、コネクタ１００の各端子２０との位置を合わせる。その後、作業者は、図８に示すように、外部電極４１と端子２０とが接触するように、外部基板４０をケースＣに装着する。第２状態において外部基板４０をケースＣに装着することにより、端子２０の第２接触脚部２２が外部電極４１に接触する第３状態となる。
【００５１】
第３状態（図９のＳＴ０３）について説明する。端子２０の第２接触脚部２２は、外部電極４１によって押圧され、弾性変形しながら基体１０の内側に入り込む。この際、第２接触脚部２２には新たな付勢力が生じ、第１接触脚部２１には新たな反力（第３付勢力）が生じる。つまり、導電部３１には第２状態よりも強い付勢力（第１付勢力と、第２付勢力と、第３付勢力との合力）が加わる。この付勢力は、電線３０をより強固に保持し、電線３０と端子２０との間により確実な電気的導通を得るための接触圧力となる。端子２０は、接続部２３から第１接触脚部２１の先端部２１ｂまでの寸法を、接続部２３から第２接触脚部２２の屈曲部２２ｃまでの寸法よりも短くする。これにより、導通部３１への付勢力をより高めることができる。また、基体１０からの屈曲部２２ｃの突出量を大きくでき、外部基板４０に対しての追従性（大きな変位量）を向上させることができる。
【００５２】
第３状態において、第２接触脚部２２の先端部２２ｂは、位置決め部１５に対して電線挿入方向Ｄの奥側に位置している。実施形態において、位置決め部１５は、第３状態における第２接触脚部２２の先端部２２ｂと、電線３０の導電部３１の先端３１ａとの間を遮断する位置に配置される。また、位置決め部１５に対して電線挿入方向Ｄの奥側には空間Ｋが形成されており、第２接触脚部２２の先端部２２ｂと電線３０の導電部３１との当接することを防止できる。これにより、第２接触脚部２２の変位量が大きい場合においてもコネクタ１００の低背化が可能となる。
【００５３】
次に、コネクタ１００に装着された電線３０を抜去する手順を説明する。電線３０の抜去は、コネクタ１００を第２状態として行う。したがって、コネクタ１００に外部基板４０が装着された第３状態である場合、外部基板４０を取り外した状態とする。
【００５４】
図１０は、コネクタ１００から電線３０を抜去する作業の流れを示す図である。以下、治具５０を用いて電線３０を抜去する例を説明する。第１抜去工程（図１０のＳＴ１１）について説明する。第１抜去工程では、２つの先端部５４を治具挿入部１３に向けた状態で治具５０を配置する。
【００５５】
第２抜去工程（図１０のＳＴ１２）について説明する。作業者が基体１０の内部に治具５０を電線挿入方向Ｄとは反対方向に挿入すると、２つの先端部５４は溝部１０ｂの平面部１０ｃに接触する。作業者がさらに治具５０を挿入すると、２つの先端部５４は平面部１０ｃを滑るように基体１０の奥側に移動して、平面部１０ｃと第１接触脚部２１の段部２１ｃとの間に入り込む。実施形態において、２つの先端部５４は、導電部３１のうち支持部１１ａから平面部１０ｃ上に突出する部分の幅よりも広い間隔を空けて配置される。このため、２つの先端部５４は、導電部３１と干渉することなく、平面部１０ｃと段部２１ｃとの間に配置される。
【００５６】
第３抜去工程（図１０のＳＴ１３）について説明する。作業者が治具５０をさらに基体１０の奥側に押し込むと、２つの先端部５４が平面部１０ｃに沿って奥側に移動し、段部２１ｃがスロープ部５３に沿って押し上げられる。このとき、治具５０の押し込み量を調整することで、先端部２１ｂが導電部３１から離れた状態としてもよい。これにより、第１接触脚部２１が導電部３１を付勢する力が上記第２状態に比べて弱くなる。すなわち、第１接触脚部２１が導電部３１を保持する力が第２状態に比べて小さくなる。
【００５７】
第４抜去工程（図１０のＳＴ１４）について説明する。第４抜去工程では、作業者が電線３０を電線挿入方向Ｄの手前側に引くことにより、電線３０は容易に抜去される。
【００５８】
以上のように、実施形態に係るコネクタ１００は、電線装着部１１に電線３０を挿入して装着することにより、端子２０の第１接触脚部２１が導電部に接触するため、電線３０と端子２０との間を導通することができる。また、実施形態に係るコネクタ１００は、電線装着部１１に電線３０を装着した状態で外部電極４１を第２接触脚部２２に接触させることにより端子２０が全体的に弾性変形し、第１接触脚部２１が導電部３１に当接して支持部１１ａ側に付勢力を加えるため、電線３０を基体１０に保持することができる。このため、壁Ｗから電線３０を引き出す作業や、電線３０を外部基板４０に接続された接続部に工具を用いてネジ止めを行う作業や、引き出した電線３０を壁Ｗの内部に戻しつつ外部基板４０を装着する作業等を行うことなく、簡単な作業で電線３０を装着することができる。これにより、電線３０を結線する際の作業性を向上することができ、容易に電線を結線（保持および導通）することができる。
【００５９】
実施形態に係るコネクタ１００は、第２状態において、第１接触脚部２１が電線３０の導電部３１に付勢力を加える。また、外側揺動方向に付勢力が加えられた状態で第２接触脚部２２が基体１０の外側に所定寸法で突出して外部電極４１に接触可能となる。したがって、電線３０を電線装着部１１に装着する動作と、外部電極４１に接触させる第２接触脚部２２を基体１０の外側に突出させる動作とを連動させて行うことができる。これにより、電線３０と外部電極４１とを接続する作業において作業性を向上させることができる。
【００６０】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００６１】
上記の実施形態では、コネクタが、天井型エアコンのリモコン又は湯沸かし装置の操作パネル等、建物の壁部に取り付けられる操作端末に装着されて用いられる構成を例に挙げて説明したが、これに限定されるものではない。コネクタは、例えば実施形態に記載の操作端末の外部基板４０と外部電源との間を中継する中継装置に用いられてもよい。
【００６２】
図１１は、変形例に係るコネクタ２００を示す斜視図である。図１２は、図１１とは異なる角度から見たときのコネクタ２００の斜視図である。図１１及び図１２に示すコネクタ２００は、基体１１０と、端子２０とを備える。基体１１０は、装着面１０ａに４本の溝部１０ｂを有する。基体１１０は、４本の溝部１０ｂの平面部１０ｃにそれぞれ電線装着部１１及び端子支持部１２を有する。したがって、電線装着部１１及び端子支持部１２は、４箇所に設けられる。端子２０は、４箇所の端子支持部１２のそれぞれに装着されている。治具挿入部１３及び揺動規制部１４は、端子２０、電線装着部１１及び端子支持部１２に対応して４箇所に設けられる。
【００６３】
この場合、４箇所の電線装着部１１のうち２箇所には上記実施形態に記載の電線３０が装着され、残りの２箇所には電線３０と外部電源とを接続するための電線１３０が装着された構成とすることができる。外部基板１４０は、４つの端子２０に接続するための４つの外部電極１４１と、電線３０と電線１３０とを接続するための接続回路とを有する。したがって、２本の電線３０及び２本の電線１３０を各電線装着部１１に装着し、外部基板１４０をコネクタ２００に装着することにより、２本の電線３０と２本の電線１３０とが外部基板１４０を介して接続される。コネクタ２００は、中継装置に用いられる場合についても、電線３０及び１３０を装着する際の作業性を向上させつつ、電線３０及び１３０の安定した装着状態を確保することが可能となる。
【００６４】
図１１及び図１２に示す例は、溝部１０ｂ、電線装着部１１、端子支持部１２、治具挿入部１３、揺動規制部１４、及び端子２０がそれぞれ４つずつ設けられるが、これに限定するものではなく、各部が３つ又は５つ以上ずつ設けられた構成であってもよい。このような構成のコネクタは、中継装置に用いられる構成に限定するものではなく、操作端末等の他の装置と外部電源とを接続するために用いられてもよい。
【００６５】
上記実施形態では、コネクタ１００及び２００が、治具挿入部１３から治具５０を挿入することで電線３０を基体１０及び１１０から抜去する構成である場合を説明したが、これに限定するものではない。図１３は、変形例に係るコネクタ３００を示す断面斜視図である。図１３に示すように、コネクタ３００は、第１接触脚部２１の幅方向（基部２１ａが延びる方向に直交し、かつ先端部２１ｂの表面に沿った方向）の側方に突出する突出部（治具係止部）１７を有する構成であってもよい。
【００６６】
突出部１７は、例えば基体３１０に外部からマイナスドライバー等の汎用ツール６０を差し込んで押し上げることで、第１接触脚部２１に対して電線３０の導電部３１から離れる方向に力を作用させることが可能である。汎用ツール６０は、治具挿入部１３から差し込む構成であってもよいし、基体３１０の側方に設けられる不図示の挿入部から差し込む構成であってもよい。これにより、専用の治具５０を用いることなく、汎用ツール６０によって電線３０を容易に抜去することができる。
【００６７】
図１３に示すコネクタ３００では、突出部１７は、第１接触脚部２１のうち基部２１ａから突出する構成に限定するものではなく、例えば先端部２１ｂ等、第１接触脚部２１の他の部分に設けられてもよい。
【００６８】
端子２０の構成は、上記実施形態に限定するものではない。図１４は、変形例に係る端子２０Ａを示す図である。図１４に示す端子２０Ａは、第２接触脚部２２の基部２２ａに屈曲部２２ｃ及び屈曲部２２ｄが設けられている。屈曲部２２ｄは、基部２２ａの一部が屈曲部２２ｃ側に屈曲されている。この構成により、実施形態に係る端子２０と比較して、屈曲部２２ｃが第１接触脚部２１から離れる方向により突出した形状となる。このため、端子２０Ａは、第２状態において、実施形態に係る端子２０と比較して、屈曲部２２ｃを基体１０の外側により突出させることができる。
【００６９】
図１５は、変形例に係る端子２０Ｂを示す図である。図１５に示す端子２０Ｂは、第１接触脚部２１が湾曲した形状の先端部２４ｂを有している。この構成により、端子２０Ｂは、先端部２４ｂが導電部３１に接触する場合、導電部３１に傷がつくことを抑制しつつ、導電部３１を支持部１１ａに押圧することができる。
【００７０】
図１６は、変形例に係る端子２０Ｃを示す図である。図１６に示す端子２０Ｃは、第１接触脚部２１が先端部２１ｂに凹部２４ｃを有している。凹部２４ｃは、電線３０の導電部３１の形状に対応して湾曲している。この構成により、端子２０Ｃは、上記の端子２０及び２０Ａと比較して、先端部２１ｂと導電部３１との接触面積が大きくなる。このため、端子２０Ｃと導電部３１とがより確実に導通される。
【００７１】
図１７は、変形例に係る端子２０Ｄを示す図である。図１７に示す端子２０Ｄは、第１接触脚部２１の先端部２１ｂの幅と基部２１ａとの間で幅方向の寸法が同様となるように形成されている。この構成により、端子２０Ｄは、導電部３１が先端部２１ｂの幅方向にずれて配置される場合であっても、確実に先端部２１ｂで導電部３１を保持することができる。
【００７２】
図１８は、変形例に係る端子２０Ｅを示す図である。図１８に示す端子２０Ｅは、第１接触脚部２１が先端部２１ｂに挟持部２４ｅを有している。先端部２１ｂは、幅方向の中央に切り込みが形成されている。先端部２１ｂは、導電部３１側に力を加えられることにより、切り込みが幅方向に開いた状態となり、導電部３１を保持可能となる。この構成により、端子２０Ｅは、先端部２１ｂが導電部３１をより強固に支持部１１ａに保持することができる。
【００７３】
上記の実施形態では、外部基板４０が、操作端末又は中継装置に用いられる場合を例に挙げて説明したが、これに限定するものではなく、他の装置等に用いられてもよい。建物の壁部に取り付けられる構成を例に挙げて説明したが、これに限定するものではない。例えば、外部基板４０が、建物の壁部以外の箇所に取り付けられる構成であってもよい。
【００７４】
上記の実施形態では、端子２０は、第１状態において、第２接触脚部２２が基体１０の装着面１０ａから外側に突出しない位置に配置される構成を例に挙げて説明したが、これに限定するものではない。例えば、第２状態における第２接触脚部２２の突出量が、第１状態における第２接触脚部２２の突出量よりも大きくなる構成であれば、第１状態において、第２接触脚部２２が基体１０の装着面１０ａから外側に突出する位置に配置されてもよい。
【００７５】
次に、本願に係るコネクタの他の実施形態を説明する。以下説明する構成は、上記した構成を適宜組み合わせることが可能である。図１９は、本実施形態に係るコネクタ４００の斜視図である。図２０は、図１９とは異なる角度から見たときのコネクタ４００の斜視図である。図２１は、コネクタ４００の一部を示す斜視図である。コネクタ４００は、基体４１０と、端子４２０とを備える。基体４１０は、装着面４１０ａに４本の溝部４１０ｂを有する。基体４１０は、４本の溝部４１０ｂにそれぞれ平面部４１０ｃを有する。平面部４１０ｃには、それぞれ電線装着部４１１が設けられる。この場合、平面部４１０ｃは、電線装着部４１１に対して電線挿入方向Ｄの側方に配置される。端子４２０は、４箇所の端子支持部４１２のそれぞれに装着されている。治具挿入部４１３及び揺動規制部４１４は、端子４２０、電線装着部４１１及び端子支持部４１２に対応して４箇所に設けられる。治具挿入部４１３は、基体４１０の端面４１０ｅに設けられる。治具挿入部４１３は、端面４１０ｅから溝部４１０ｂまでの間を貫通する。治具挿入部４１３は、電線４３０を抜去するための治具４５０を挿入可能な寸法に形成される。治具挿入部４１３は、端面４１０ｅにおける開口部の形状が凸字状である。
【００７６】
本実施形態において、基体４１０は、フランジ部４１８と、係合突起部４１９とを有する。フランジ部４１８は、電線装着部４１１のうち電線挿入方向Ｄの手前側の端部を覆う位置に配置される。フランジ部４１８は、電線装着部４１１に電線４３０が装着された場合、電線４３０の一部を覆った状態となる。このため、フランジ部４１８は、例えば図２１に示すように、電線装着部４１１に装着された電線４３０に外力が加えられ、電線４３０に屈曲やめくれが生じる場合、電線４３０を外部側から支持する。これにより、端子４２０への負荷がかかりにくくなる。なお、フランジ部４１８は、基体４１０に一体となって設けられた構成であってもよいし、基体４１０に対して着脱可能な構成であってもよい。フランジ部４１８が基体４１０に対して着脱可能な構成である場合、電線４３０を電線装着部４１１に装着する際にはフランジ部４１８を取り外しておき、電線４３０の装着後にフランジ部４１８を基体４１０に取り付けることができる。これにより、電線４３０を挿入しやすくなるため、作業性が向上する。
【００７７】
係合突起部４１９は、端子支持部４１２の両側に配置される。係合突起部４１９は、後述の係合部４２５と係合する。係合突起部４１９は、突起部４１９ａと、傾斜部４１９ｂと、段部４１９ｃとを有する。突起部４１９ａは、後述の係合部４２５と第２接触脚部４２２との間のスリット部４２６に挿入される。傾斜部４１９ｂは、基体４１０の表面４１０ｓに配置される。傾斜部４１９ｂは、電線挿入方向Ｄの手前側から奥側にかけて突出量が徐々に大きくなるように設けられる。段部４１９ｃは、傾斜部４１９ｂの電線挿入方向Ｄの奥側端部に配置される。
【００７８】
図２２は、本実施形態に係る端子４２０の斜視図である。図２３は、図２２とは異なる角度から見たときの端子４２０の斜視図である。図２４は、コネクタ４００を平面Ｉ（図１９参照）により切断した場合の断面図である。図２２及び図２３に示すように、端子４２０は、第１接触脚部４２１と、第２接触脚部４２２と、接続部４２３とを有する。以下、端子４２０の構成について、上記実施形態に係る端子２０との相違点を中心に説明する。
【００７９】
端子４２０は、第１接触脚部４２１の先端部４２１ｂが電線装着部４１１側に折り曲げられている。先端部４２１ｂは、図２４に示すように、電線装着部４１１上に配置される。先端部４２１ｂは、先端の一部が面取りされている。面取り部分の形状としては、湾曲した形状であってもよいし、平面状であってもよい。先端部４２１ｂは、面取り部分を有することにより、例えば電線装着前の状態で電線装着部４１１の溝部４１０ｂに当接した場合においても、基体４１０の削れが抑制される。
【００８０】
端子４２０は、第２接触脚部４２２の屈曲部４２２ｃに、基体４１０の外側に向けた凸部４２２ｄを有する。凸部４２２ｄは、不図示の外部基板と接触する部分に配置される。端子４２０は、凸部４２２ｄが設けられることにより、凸部４２２ｄにおいて接圧を集中させることができる。これにより、接触信頼性を向上させることができる。凸部４２２ｄは、１つ配置されてもよいし、複数配置されてもよい。
【００８１】
端子４２０は、延出部４２４と、係合部４２５とを有する。延出部４２４は、第１接触脚部４２１の先端部４２１ｂに設けられる。延出部４２４は、例えば第１接触脚部４２１の両側に設けられるが、これに限定されるものではなく、第１接触脚部４２１の片側に配置されてもよい。延出部４２４は幅方向の寸法が先端部４２１ｂの幅よりも狭く形成されてもよいし、先端部４２１ｂの幅よりも幅広く形成されてもよいし、同幅であっても良い。
【００８２】
延出部４２４は、電線挿入方向Ｄ側に延び出している。延出部４２４は、図２４に示すように、平面部４１０ｃ上に配置される。延出部４２４は、例えば第２接触脚部４２２側に反っている。延出部４２４の先端は、平面部４１０ｃから離間している。このため、電線挿入方向Ｄの奥側から見た場合、延出部４２４の先端と平面部４１０ｃとの間には、隙間が形成される。
【００８３】
また、延出部４２４は、平面部４１０ｃ上に配置される。この構成では、例えば電線装着前の状態において、端子４２０に電線装着部４１１側の力が加えられる場合に、延出部４２４が平面部４１０ｃに当接される。このため、端子４２０に加えられる力を延出部４２４で支持することが可能となる。よって、第１接触脚部４２１の先端部４２１ｂが電線装着部４１１側に押し付けられて変形することを抑制できる。
【００８４】
係合部４２５は、第２接触脚部４２２の両側に突出して設けられる。係合部４２５は、電線挿入方向Ｄの奥側から手前側に向けて延び出している。係合部４２５は、第２接触脚部４２２との間にスリット部４２６を形成する。スリット部４２６は、電線挿入方向Ｄの手前側から奥側に向けて直線状に形成される。係合部４２５は、スリット部４２６が設けられることにより、第２接触脚部４２２に対して片持ちバネとして弾性変形可能となる。また、係合部４２５は、電線挿入方向Ｄに沿って細長く形成される。
【００８５】
端子４２０は、第１接触脚部４２１及び第２接触脚部４２２を電線挿入方向Ｄの奥側に向けた状態で溝部４１０ｂに沿って電線挿入方向Ｄの奥側に挿入されることで、端子支持部４１２に支持される。端子４２０を挿入する場合、係合部４２５が傾斜部４１９ｂに乗り上げて段部４１９ｃを越える。係合部４２５は、傾斜部４１９ｂに乗り上げる際に弾性変形する。また、係合部４２５は、段部４１９ｃを越えた後に、弾性変形の状態から復元される。段部４１９ｃを乗り越えた端子４２０は、係合部４２５と第２接触脚部４２２との間のスリット部４２６に突起部４１９ａが挿入された状態となる。これにより、係合部４２５が係合突起部４１９と係合する。この場合、電線挿入方向Ｄの手前側への端子４２０の抜け止めに寄与する。また、係合部４２５は、電線挿入方向Ｄに沿って細長く形成されるため、例えば電線挿入時において端子４２０が揺動する場合であっても、突起部４１９ａと係合した状態が維持される。
【００８６】
次に、コネクタ４００に装着された電線４３０を抜去する手順を説明する。図２５及び図２６は、コネクタ４００から電線４３０を抜去する作業の流れを示す断面図である。図２５及び図２６は、コネクタ４００を平面Ｉ（図１９参照）により切断した場合の断面を示している。以下、治具４５０を用いて電線４３０を抜去する例を説明する。第１抜去工程（図２５のＳＴ４１）について説明する。第１抜去工程において、治具４５０は、例えばマイナスドライバーである。第１抜去工程では、先端４５１を治具挿入部４１３に向けた状態で治具４５０を配置する。
【００８７】
第２抜去工程（図２５のＳＴ４２）について説明する。作業者が基体４１０の内部に治具４５０を電線挿入方向Ｄとは反対方向に挿入すると、先端４５１が溝部４１０ｂの平面部１０ｃに接触する。作業者がさらに治具４５０を挿入すると、先端４５１が平面部４１０ｃを滑るように基体４１０の奥側に移動して、平面部４１０ｃと延出部４２４との間に入り込む。実施形態において、延出部４２４は、平面部４１０ｃから離間しており、第２接触脚部４２２側に反った形状である。このため、先端４５１は、容易に平面部４１０ｃと延出部４２４との間に挿入される。
【００８８】
第３抜去工程（図２６のＳＴ４３）について説明する。作業者が治具４５０をさらに基体４１０の奥側に押し込むと、先端４５１が平面部４１０ｃに沿って奥側に移動し、延出部４２４が先端４５１によって押し上げられる。これにより、第１接触脚部４２１が導電部４３１を付勢する力が小さくなる。また、治具挿入部４１３のうち、端面４１０ｅにおける開口部の形状が凸字状であるため、治具４５０を開口部の両側に配置させることで、治具挿入後の姿勢を安定させることが可能となる。
【００８９】
第４抜去工程（図２６のＳＴ４４）について説明する。第４抜去工程では、作業者が電線４３０を電線挿入方向Ｄの手前側に引くことにより、電線４３０は容易に抜去される。
【００９０】
以上のように、実施形態に係るコネクタ４００において、端子４２０は、第１接触脚部４２１に、電線挿入方向Ｄ側に延び出す延出部４２４を有するため、電線４３０を抜去する際に治具４５０が端子４２０と平面部４１０ｃとの隙間に潜りやすくなり、抜去作業が容易となる。
【００９１】
実施形態に係るコネクタ４００において、基体４１０は、電線装着部４１１に対して電線挿入方向Ｄの側方に平面部４１０ｃを有し、電線装着部４１１は、平面部４１０ｃに対して凹状に形成され、端子４２０は、第１接触脚部４２１の先端部４２１ｂが電線装着部４１１上に配置され、延出部４２４が平面部４１０ｃ上に配置されるため、例えば電線装着前の状態において端子４２０に電線装着部４１１側の力が加えられる場合に、端子４２０に加えられる力を延出部４２４で支持することが可能となる。よって、第１接触脚部４２１の先端部４２１ｂが電線装着部４１１側に押し付けられて変形することを抑制できる。
【００９２】
実施形態に係るコネクタ４００において、延出部４２４は、第１接触脚部４２１の両側に設けられるため、平面部４１０ｃ上に配置される場合、電線装着部４１１の両側に当接される。このため、端子４２０に加えられる力を延出部４２４で幅方向に均等に支持することが可能となる。
【００９３】
実施形態に係るコネクタ４００において、延出部４２４の先端は、平面部４１０ｃから離間しているため、マイナスドライバー等の治具４５０を平面部４１０ｃと延出部４２４との間の隙間に挿入することが可能となる。
【００９４】
実施形態に係るコネクタ４００において、端子４２０は、第２接触脚部４２２の両側に突出した係合部４２５を有し、基体４１０は、係合部４２５と係合する係合突起部４１９を有するため、係合部４２５が係合突起部４１９と係合することで、電線挿入方向Ｄの手前側への端子４２０の位置ずれが規制される。
【００９５】
実施形態に係るコネクタ４００において、基体４１０は、電線装着部４１１のうち電線挿入方向Ｄの手前側の端部を覆う位置に配置されるフランジ部４１８を有する。このため、電線装着部４１１に装着された電線４３０に外力が加えられ、電線４３０に屈曲やめくれが生じる場合、電線４３０がフランジ部４１８により支持される。これにより、第１接触脚部４２１への負荷がかかりにくくなる。
【００９６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作し得るすべての変形例及び代替可能な構成を具現化するように構成されるべきである。
【符号の説明】
【００９７】
Ｃ  ケース
Ｄ  電線挿入方向
Ｋ  空間
Ｒ  室内
Ｗ  壁
Ｗａ  貫通孔
１０，１１０，３１０，４１０  基体
１０ａ，４１０ａ  装着面
１０ｂ，４１０ｂ  溝部
１０ｃ，４１０ｃ  平面部
１０ｄ  側面部
１０ｅ，１０ｆ，１５ａ，４１０ｅ  端面
１０ｇ  固定面
１０ｈ  湾曲部
１１，４１１  電線装着部
１１ａ，１１ｂ  支持部
１２，４１２  端子支持部
１２ａ  曲面部
１２ｂ  変形支持部，角部
１２ｃ  傾斜突起部
１２ｄ  側部支持部
１２ｅ，２１ｃ，４１９ｃ  段部
１３，４１３  治具挿入部
１３ａ  内面
１４，４１４  揺動規制部
１５  位置決め部
１６  ボス部
１７  突出部
２０，２０Ａ，２０Ｂ，２０Ｃ，２０Ｄ，２０Ｅ，４２０  端子
２１，４２１  第１接触脚部
２１ａ，２２ａ  基部
２１ｂ，２２ｂ，２４ｂ，５４，４２１ｂ  先端部
２１ｅ  エッジ部分
２２，４２２  第２接触脚部
２２ｃ，２２ｄ，４２２ｃ  屈曲部
２３，４２３  接続部
２４ｃ  凹部
２４ｅ  挟持部
３０，１３０，４３０  電線
３１，４３１  導電部
３１  導通部
３１ａ，４５１  先端
３２  被覆部
４０，１４０  外部基板
４１，１４１  外部電極
５０，４５０  治具
５１  治具基部
５２  脚部
５３  スロープ部
６０  汎用ツール
１００，２００，３００，４００  コネクタ
４１０ｓ  表面
４１８  フランジ部
４１９  係合突起部
４１９ａ  突起部
４１９ｂ  傾斜部
４２２ｄ  凸部
４２４  延出部
４２５  係合部
４２６  スリット部
【図１】
2018010852.tif 000003
【図２】
2018010852.tif 000004
【図３】
2018010852.tif 000005
【図４】
2018010852.tif 000006
【図５】
2018010852.tif 000007
【図６】
2018010852.tif 000008
【図７】
2018010852.tif 000009
【図８】
2018010852.tif 000010
【図９】
2018010852.tif 000011
【図１０】
2018010852.tif 000012
【図１１】
2018010852.tif 000013
【図１２】
2018010852.tif 000014
【図１３】
2018010852.tif 000015
【図１４】
2018010852.tif 000016
【図１５】
2018010852.tif 000017
【図１６】
2018010852.tif 000018
【図１７】
2018010852.tif 000019
【図１８】
2018010852.tif 000020
【図１９】
2018010852.tif 000021
【図２０】
2018010852.tif 000022
【図２１】
2018010852.tif 000023
【図２２】
2018010852.tif 000024
【図２３】
2018010852.tif 000025
【図２４】
2018010852.tif 000026
【図２５】
2018010852.tif 000027
【図２６】
2018010852.tif 000028